(57)【要約】【課題】  杭下端の支持地盤内に拡大球根を形成する技術では、オーガドリルの下端部に取付けた拡径翼の拡開を確認する手段がなかった。【解決手段】  オーガドリルの拡径翼の開閉動作を直接検知するセンサ３０をオーガドリルの下端部１０に設け、オーガドリル軸の中空部に、通信ケーブル３１を配設し、オーガドリル軸の接続部に、オーガドリルを接続したとき圧着する接触端子を備えたコネクタ３２を設け、センサ３０の信号を地上で音声信号、可視信号、記録装置等の表示装置によって確認できるようにした。【選択図】        図１
2008082101.tif 000002
【特許請求の範囲】
【請求項１】
オーガドリルの拡径翼に近接して設けられ拡径翼の開閉動作を直接検知するセンサと、検知した信号を地上に伝達するオーガドリル軸内に設けた通信ケーブルと、該信号を表示する表示装置とを備えたことを特徴とする拡径翼の開閉検知装置。
【請求項２】
前記通信ケーブルはオーガドリル軸の接合端に電気コネクタをそれぞれ備え、該電気コネクタは、オーガドリル軸を接合したとき隣接コネクタと電気的に結合する接触端子と、これを覆うシールガスケットと、その外周を被覆するケーシングとからなり、前記接触端子は圧着方向に付勢するスプリングを備え、前記ケーシングはオーガドリル軸内に固定する支持脚を備え、該支持脚はオーガドリル軸とケーシングとを電気的に結合する電気部材を兼ね、前記シールガスケットは前記ケーシングと前記接触端子との間を絶縁すると共にオーガドリル軸を接合したとき隣接シールガスケット同士が前記接触端子を外部流体から隔離保護するリング状先端圧着部を備えたことを特徴とする請求項１記載の拡径翼の開閉検知装置。
【請求項３】
前記表示装置は音声信号装置、可視信号表示装置、デジタル電子信号、自動記録装置、記憶表示装置から成る群から選ばれた１又は２以上の装置であることを特徴とする請求項１記載の拡径翼の開閉検知装置。
【発明の詳細な説明】
【技術分野】
【０００１】
本発明は、杭底に拡大球根を形成する地中杭の拡径部掘削に用いる拡径翼の開閉検知装置に関する。
【背景技術】
【０００２】
杭下端の支持地盤内に杭の下端と一体化する拡大球根を形成して杭の支持力を高める技術がある。このような技術では、支持ピンを中心に揺動して拡縮する爪などから成る拡径翼をオーガドリルの下端部近傍に取付けておき、オーガドリルの正回転のときこの拡径翼は縮径しており、オーガドリルの主刃のみで地盤を掘削し、オーガドリルを逆回転させると地盤の抵抗によってこの拡径翼が拡径し、拡大球根形成部の地層を撹拌、掘削するようになっている（例えば、特許文献１参照。）。
【０００３】
しかし、実際にはオーガドリルを逆回転させたとき拡径翼が拡径したか否かを確認する手段はなく、従来、オーガドリルのモータの電流の増減あるいはトルクの増減等によって判断していた。しかしながら、これらの変動は、一般に顕著ではなく、地層の状況等によっては、その変化を検知することができない。従って、拡径翼による杭底の杭支持層の攪拌、球根形成を確認することが困難であった。また、球根形成を確認するために施工後杭中空部をコアーボーリングで根固め部まで削孔し超音波探査により把握することも出来るが、長時間を要し、費用が高額となるのですべての杭について探査を行うことは困難であり、少数のサンプルを抜き取りで検証することになる。
【特許文献１】特公平７−８６２３１号公報（第３−４頁、図２、３、４（ｂ））
【発明の開示】
【発明が解決しようとする課題】
【０００４】
杭下端の支持地盤内に杭の下端と一体化する拡大球根を形成する場合、オーガドリルの下端部近傍に拡径翼を取付けておき、オーガドリルを逆回転させて拡径翼を拡径させ、拡大球根形成部の地層を撹拌、掘削するようになっているが、このとき拡径翼が拡開したことを確認する手段がなかった。本発明は、拡径翼の拡開をセンサによって直接確認する技術を提供することを目的とする。
【課題を解決するための手段】
【０００５】
上記課題を解決するための本発明の手段は、オーガドリルの拡径翼に近接して設けられ翼の開閉動作を直接検知するセンサと、検知した信号を地上に伝達するオーガドリル軸内通信ケーブルと、該信号を表示する表示装置とを備えたことである。
【０００６】
拡径翼が開いた時に拡径翼の開閉を直接検知するセンサを設置する。センサは拡径翼の拡開を直接検知するＯＮ／ＯＦＦスイッチ、トグルスイッチ、圧電素子等を用いる。
【０００７】
センサが検知した拡径翼の拡開情報を電気信号として、オーガドリル軸の中空部内を通る通信ケーブルで、地上に伝達する。オーガドリル軸の中空部は通常は、圧縮空気、水、セメントミルクなどの流体の通路として用いるものである。通信ケーブルはその中に設置され、これらの流体に対して絶縁し、保護するように設置する。
【０００８】
オーガドリル軸の接続部には、通信ケーブルの両端に電気コネクタを設ける。この電気コネクタはオーガドリル軸を接続したとき、オーガドリルの隣接軸内の通信ケーブルを相互に接続するものである。通信ケーブルはオーガドリル軸の接続、切り離しと同時に電気コネクターによりワンタッチで接続、切り離しができる構造とする。
【０００９】
オーガドリル軸の接合端に設けられた電気コネクタの好適な例を挙げると、次のようである。
【００１０】
電気コネクタは主材として、オーガドリル軸を接合したとき隣接コネクタと電気的に結合する接触端子と、これを覆うシールガスケットと、その外周を被覆するケーシングとから構成されている。接触端子は圧着方向に付勢するスプリングを備えている。ケーシングはオーガドリル軸内に固定する支持脚を備え、この支持脚はオーガドリル軸とケーシングとを電気的に結合する電気部材を兼ねている。シールガスケットはケーシングと接触端子との間を絶縁すると共に、オーガドリル軸を接合したとき、隣接シールガスケット同士が接触端子を外部流体から隔離保護するリング状先端圧着部を備えている。このような通信ケーブルを用いると信号伝達が確実であり好適である。このような電気コネクタは、従来、管内通信ケーブルなどの接続部にも用いられているものである。
【００１１】
電気コネクタ、通信ケーブルは高耐水性を有するウレタン等の素材を用いて高いシール性を確保する構造とする。
【００１２】
通信ケーブルによって搬送された信号は地上の杭打機に設けたスイベル部より外部に取り出すことにより、オーガドリルの正逆回転に左右されずに、電気信号を地上で受け渡すことが可能である。
【００１３】
伝達された電気信号は、音声信号装置、可視信号表示装置、デジタル電子信号処理装置、自動記録装置、記憶表示装置などの装置に表示しまたは記録される。例えば、ベースマシン内にある管理記録計に電気信号の経時変化を印字ペン等により記録するようにし、同時に、オペレータが拡径翼の拡開信号をブザーや表示ランプ等によって、拡大翼の開きを確認できるようにするとよい。
【００１４】
本発明の拡径翼の開閉検知装置を一組のシステムとして形成し、中堀り工法又は外堀り工法によって杭を沈下する場合に、拡大球根築造の形状確認を確実に記録管理することができる。
【００１５】
なお、前記センサとして拡径翼の掘削トルクを検知する応力計をオーガーヘッド軸部に取り付け、その電気信号を記録管理することによって、拡径翼の先端部の地盤抵抗を検知することもでき、支持地盤を確実に検知することができると共に、地盤のＮ値の概略を知ることも出来る。
【発明の効果】
【００１６】
本発明によれば、オーガドリルの拡径翼の作動をリアルタイムで把握することができるようになった。このように拡径翼の開閉をリアルタイムで確実に知ることにより、根固め球根の形状を各杭ごとに簡易に確認することができ、通常作業以外の格別な作業による確認を必要としないので、杭沈下作業の能率低下がない。また、現在使用されているオーガドリルをそのまま使用することができるので改造、増設、変更が容易である。なお、センサとして応力計を用いることにより、拡径翼先端地盤強度の推定値を各杭ごとに知ることもできる。
【発明を実施するための最良の形態】
【００１７】
以下図面を参照して本発明の実施の形態を説明する。
【００１８】
図６に、本発明が適用される拡大球根を有する支持杭を模式的に示した。オーガドリルを用いた中掘り工法又は外掘り工法によって、杭１００が地上１２０から地中に沈下される。オーガドリルが支持地盤１３０に到達したらオーガドリルを逆回転させて拡径翼を拡径させ、球根部１１０の地層を攪拌掘削し、その後、この部分にセメントミルク等を注入して球根部１１０を形成する。
【００１９】
拡径翼は、オーガドリルを逆回転させることにより、地層の抵抗により支持ピンを中心に回動して拡径する。従来、この拡径は、オーガドリルの駆動動力やトルクの増大等を電流計等の視認によって確認するのであるが、これらの変化を確認することは容易ではなく、確実性が乏しかった。
【００２０】
図１は本発明の実施例に用いるオーガドリルの下端部（オーガヘッド）１０の模式的側面図、図２はそのＡ−Ａ矢視図である。
【００２１】
オーガヘッド１０は、刃物部１２、オーガ軸１３、接続部１４から成り、オーガドリルの外径にスパイラル羽根１５を備えている。刃物部１２は底面に掘削刃１１を備えており、また、ピン２１を中心に回動する拡径翼２０が取付けられている。拡径翼２０はオーガドリルが正回転のとき、矢印２２で示すように刃物部１２に密着して縮径しており、オーガドリルを逆回転させたとき、ピン２１を中心として矢印２３で示す方向に回動して拡径し、地層を攪拌掘削する。
【００２２】
本発明はこの拡径翼２０が拡径したとき、これを直接検知する位置にセンサ３０を刃物部１２に取付け、その検知信号を通信ケーブル３１、コネクタ３２を経てオーガドリル軸内を通って地上に伝送するようにした。
【００２３】
オーガドリルは、掘削深度に従って長さ方向にオーガドリル軸を接続して用いる。
【００２４】
図３は、オーガドリルの上下軸の接続部の断面図を示したものである。図３ではスクリュー羽根の表示は省略してある。オーガドリル軸４０ａの端部には六角形の孔を備えたソケット４１が形成されており、これと接続するオーガドリル軸４０ｂの端部には外周が六角形のプラグ４２が形成されている。軸４０ａと４０ｂを軸方向に移動して六角形を係合させ、軸直角に係合ピン（図示省略）を打込むと、ソケット４１とプラグ４２が強固に固定される。
【００２５】
オーガドリル軸４０ａ，４０ｂには、圧力流体やセメントミルク等を地中に供給する中空孔が設けられており、この中空孔中に各オーガドリル軸全長に亘って通信ケーブル３１が内蔵されている。通信ケーブル３１の両端には電気コネクタ５０が設けられ、電気コネクタ５０はオーガドリル軸４０ａ，４０ｂ内に固定されている。
【００２６】
図４に、電気コネクタ５０の一例を示した。図５は図４のＢ−Ｂ矢視図（正面図）である。電気コネクタ５０は、先端に圧着端子５１を突出している。圧着端子５１はばね５３によって突出方向に付勢されている。ばね５３及びばね座５４は電気導体を兼ね通信ケーブル３１の一方の線５５（プラス電圧の線）に連結されている。外皮をなすケーシング６１は、図５に示すように、その外周に３本の脚８０を備え、脚８０の先端はオーガドリル軸内に固定されており、ケーシング６１とオーガドリル軸は電気的に接続されている。後部ケーシング６２はケーシング６１とねじによってシール材６３を介して結合されている。後部ケーシング６２には通信ケーブル３１の他方の線５６（アース線）が電気的に結合されている。
【００２７】
圧着端子５１とケーシング６１間の隙間には、両者を絶縁するシールガスケット７０が介袋されている。シールガスケット７０は、オーガドリル軸４０ａ，４０ｂが結合されたとき、シールガスケット７０のリング状の先端が相互に圧着され、圧着端子５１の収納空間を密閉し、オーガドリル軸内を通る加圧流体やセメントミルク等が侵入しないようにシールする。シールガスケット７０は例えばゴム硬度６０℃のニトリルゴム等によって形成される。
【００２８】
ばね座５４とケーシング６１及び後部ケーシング６２との間には絶縁材７１が装着され、ばね座５４とケーシング６１、６２とを電気的に絶縁している。
【００２９】
なお、通信ケーブル３１と電気コネクタ５０との接合部はウレタン樹脂等による被覆７２によって被覆保護されている。
【００３０】
信号電流は、プラス電圧の線５５からばね座５４、ばね５３、圧着端子５１を経て伝送され、アース線５６は後部ケーシング６２、ケーシング６１、脚８０、プラグ４２、ソケット４１を経てオーガドリル軸に結合されている。
【００３１】
本発明の装置は、スイベル機構を備えたオーガドリルに装着して用いられ、通信ケーブルの信号はスイベル機構から地上の表示装置等に伝達される。表示装置等としては、ベル、ブザーその他の音響装置、表示ランプや指示計などの可視信号表示装置、紙記録装置、電気信号装置、又は電子的記憶・表示装置などを用いるとよい。
【図面の簡単な説明】
【００３２】
【図１】オーガヘッドの側面図である。
【図２】図１のＡ−Ａ矢視図である。
【図３】オーガ軸の接続部を示す断面図である。
【図４】電気コネクタの例を示す断面図である。
【図５】図４の正面図（Ｂ−Ｂ矢視図）である。
【図６】拡大球根を有する支持杭の説明図である。
【符号の説明】
【００３３】
１０    オーガヘッド
１１    掘削刃
１２    刃物部
１３    オーガ軸
１４    接続部
１５    スパイラル羽根
２０    拡径翼
２１    ピン
２２，２３    矢印
３０    センサ
３１    通信ケーブル
３２    コネクタ
４０ａ，４０ｂ    オーガドリル軸
４１    ソケット
４２    プラグ
５０    電気コネクタ
５１    圧着端子
５３    ばね
５４    ばね座
５５    プラス電圧の線
５６    アース線
６１    ケーシング
６２    後部ケーシング
６３    シール材
７０    シールガスケット
７１    絶縁材
７２    被覆
８０    脚
１００    杭
１１０    球根部
１２０    地上
１３０    支持地盤
【図１】
2008082101.tif 000003
【図２】
2008082101.tif 000004
【図３】
2008082101.tif 000005
【図４】
2008082101.tif 000006
【図５】
2008082101.tif 000007
【図６】
2008082101.tif 000008